(57)【特許請求の範囲】
【請求項１】
アミリスオイルを有効成分として配合することを特徴とするアンモニア、アミン類、硫化水素及びメルカプタン類の消臭に有効な消臭剤。
【請求項２】
アミリスオイルの含有量が０．０５％〜５０重量％である請求項１記載の消臭剤。
【発明の詳細な説明】
【０００１】
【発明の属する技術分野】
本発明は、アンモニア、アミン類、硫化水素及びメルカプタン類の消臭に有効な消臭剤に関し、より詳しくは、アミリスオイルを有効成分として配合することを特徴とするアンモニア、アミン類、硫化水素及びメルカプタン類の消臭に有効な消臭剤に関する。
【０００２】
【従来の技術】
一般に、アンモニアやアミン類の窒素化合物や硫化水素やメルカプタン類などの硫黄化合物は悪臭源として知られている。例えば、家庭内では便所、台所からの臭いや、ペットの臭い、或いは、喫煙した時に発生するタバコの臭いなどはこれらアンモニアやアミン類及び硫化水素やメルカプタン類が微量に存在する結果、それらからの臭いが不快感や頭痛を引き起こす原因となっている。
【０００３】
このような悪臭を消臭する方法が従来から検討されているが、例えば、１）強い香気成分によつて感覚的に悪臭をマスキングする方法、２）活性炭、ゼオライト、サイクロデキストリンなどによって悪臭成分を吸着、包接して物理的に消臭する方法、３）悪臭成分を化学的に中和、酸化、縮合等により無臭化する方法、４）活性汚泥等微生物を利用した生物的に無臭化する方法、等が提案されている。
【０００４】
しかしながら、マスキングによる方法は、強い香気成分が必ずしも使用者にとって心地良い香気であるとは限らず、反対に、便所の臭気を連想させる悪臭となる場合もあるなどの欠点を有する。また、活性炭などに悪臭成分を吸着させる方法は、吸着剤が飽和状態になってしまえば効果がなくなる等の欠点がある。
【０００５】
そこで、悪臭物質と化学的に反応して無臭の化学物質に変化させることによって消臭効果が期待でき、しかも、人体に安全な天然物由来の消臭剤の開発が検討されている。古来、便所の側に南天の木を植えることが行われていたが、これは南天の木に消臭作用があることを利用した生活の知恵であった。そして、実際に南天の抽出物に消臭効果があることを見出した消臭剤の提案（特開昭６１−１４３０６６号公報）もあり、その他、植物体原料の抽出物を利用した消臭剤については多数提案されている。
【０００６】
それらのうち、アンモニア臭やアミン臭を除去する消臭剤としては、例えば、カタバミ、サザンカ、ツガ、サルスベリ、ナンテン、クリ、サネカズラ、ミズメ、ニシキマツ、イチョウからの抽出物を使用する消臭剤（特開昭６１−１０３４４７号公報）、ムラサキカタバミ、ドクダミ等の抽出物を有効成分とする消臭剤（特開昭６１−１４３０６６号公報）、アカザ科植物の抽出物を利用した消臭剤（特開平１−２８４２５７号公報）、バラ科、マメ科、マツ科、モクレン科植物の抽出物を有効成分とする消臭剤（特開平３−２６４０７０号公報）等が提案されている。また、硫化水素やメルカプタン臭の消臭剤としては、例えば、シソ科植物を利用した消臭物質の製造方法（特開昭５７−２０４２７８号公報）、キリ、ライラック、シナレンギョウ等の抽出物を有効成分とする消臭剤（特開昭６１−９４６６０号公報）、丹参又はシソ科植物の抽出物を有効成分とする硫黄系悪臭物質選択的消臭剤（特開平１−２１８４５７号公報）、アカバナ科、スギ科、ツツジ科、ミカン科植物の抽出物を有効成分とする消臭剤の製造方法（特開平３−２６１４７９号公報）等が提案されている。
【０００７】
しかしながら、これらの提案は、原料となる植物体から多数の工程により消臭有効成分を分離精製するものであり、得られた消臭剤はかなり高価なものとなつて、必ずしも工業的には有利ではないものもある。そこで、入手が容易で比較的安価且つ工業的にも有利な、アンモニア、アミン類、硫化水素及びメルカプタン類に特異的に消臭効果のある消臭剤が求められていた。
【０００８】
【課題を解決するための手段】
そこで本発明者等は、前記課題を解決するため鋭意研究を行なってきた。その結果、全く予期せぬことであつたが、香料成分として化粧料や芳香剤等の香粧品用の調合香料に用いられているアミリスオイルに、アンモニア、アミン類、硫化水素及びメルカプタン類に対して上記従来提案の消臭剤と同等又はそれ以上の消臭効果があることを見出し本発明を完成した。即ち、該アミリスオイルは南アメリカの北部等に生育するミカン科のアミリス  バルサミフェラ（Ａｍｙｒｉｓ  ｂａｌｓａｍｉｆｅｒａ）の原木より水蒸気蒸留して得られる、非常に安価な香料原料であって、アミン類やメルカプタン類に対して特異的に消臭効果があることなどは、従来文献に記載も示唆もされていないものであり、また、消臭剤として使用された例も知られていない。
【０００９】
以下に、本発明の具体的態様について説明する。
【００１０】
【発明の実施の形態】
本発明品は、アミリスオイルを有効成分として配合することを特徴とする消臭剤であって、アンモニア、アミン類、硫化水素及びメルカプタン類の消臭に有効な消臭剤である。
【００１１】
本発明品の有効成分であるアミリスオイルは、南アメリカの北部、中央アメリカ、西インド諸島に生育しているミカン科のアミリス  バルサミフェラ（Ａｍｙｒｉｓ  ｂａｌｓａｍｉｆｅｒａ）の原木の小片或いはおが屑状の原料を水蒸気蒸留し、留出油分から水分を分離することによって得られる。セスキテルペンが主成分で、白檀香様、木様の香気を有するので、温和な香料として用いられることが多い。市場には広く出回っていて、例えば、Ｐ．Ｉ．Ｃ社、Ｇ．ＵＨＥ社等から容易に入手が可能である。通常のアミリスオイルであれば、特に出所由来に関係なく有効である。
【００１２】
本発明品の使用態様については特に制約されるものではないが、液剤、スプレー型、ゲル状或いは固形状消臭剤等として用いられ、所望の用途により適宜選択することができる。
【００１３】
本発明品の有効成分であるアミリスオイルの含有量は、消臭剤全体の０．０５％〜５０重量％、より好ましくは、０．１％〜１０重量％の範囲を例示することができる。０．０５％以下の含有量では、消臭効果が消臭率で５０％以下に落ちるので好ましくない。また、５０％以上添加すると消臭効果は強まるが、通常の消臭剤を使用する環境下では、経済性からは好ましくない場合がある。
【００１４】
アミリスオイルを配合する方法としては特に制約されるものではないが、消臭剤にアルコール等の有機溶媒希釈液や乳状液にして配合することが望ましい。例えば、アミリスオイルを、所望によりその他油性成分とともに界面活性剤を用いて乳化し、液剤、スプレー剤、ゲル状剤に配合することができる。その際に用いられる界面活性剤は、例えば、ソルビタン脂肪酸エステル、ＰＯＥソルビタン脂肪酸エステル、ＰＯＥノニルフェノールエーテル、ＰＯＥアリルエーテル、ＰＯＥラノリン誘導体、ＰＯＥヒマシ油誘導体、ＰＯＥアルキルアミン等のノニオン界面活性剤等を用いることができる。
【００１５】
また、アミリスオイルをエタノール、イソプロピルアルコール、セチルアルコール、ヘキサデシルアルコール、ステアリルアルコール、フエニルエチルアルコール等のアルコール類、グリセリン、プロピレングリコール、ソルビトール、１，３−ブチレングリコール、ジプロピレングリコール、イソプレングリコール等の多価アルコール類等の溶媒に溶解して、シリカゲル、粉末状樹脂等に含浸させて粉末状或いは顆粒状消臭剤とすることもできる。
【００１６】
また、消臭有効成分のアミリスオイルの他に所望により、公知の消臭剤或いは香料、色素、油脂類、ゲル化剤、増粘剤等も添加併用することができる。そのような公知の消臭剤としては、例えば、次亜塩素酸、二酸化マンガン、ベンゾキノン等の酸化剤、グリオキザール、アクロレイン等のアルデヒド類、ケトン類、メタクリル酸エステル、マレイン酸誘導体のα、β−不飽和化合物、活性炭、シリカゲル、アルミナ等の吸着剤などを一緒に配合することもできる。
【００１７】
またその他の添加剤としては、例えば、天然精油、単品香料、調合香料、乳化香料、粉末香料等の香料；赤色２号、緑色３号、青色１号等のタール色素、クロロフィル、リボフラビン、カロチノイド等の天然色素；ホホバ油、オリーブ油等天然動植物油脂；ラノリン、鯨ロウ、カルナウバロウ等のワックス類；鉱油、イソプロピルミリステート、イソプロピルパルミテート、スクワラン、中鎖脂肪酸トリグリセライド、流動パラフィン、白色ワセリン、シリコン等の油類；寒天、カラギーナン等のゲル化剤；ローカストビーンガム、キサンタンガム、ポリビニルアルコール等の増粘剤等を例示することができる。
【００１８】
本発明の消臭剤が有効に作用するアミン類としては、例えば、メチルアミン、ジメルチアミン、トリメチルアミン、エチルアミン、イソプロピルアミン、プロピルアミン、ブチルアミン等を例示することができる。
【００１９】
また、メルカプタン類としては、メチルメルカプタン、ジメチルメルカプタン、トリメチルメルカプタン、エチルメルカプタン、イソプロピルメルカプタン、プロピルメルカプタン、ブチルメルカプタン等を例示することができる。
【００２０】
【実施例】
以下、実施例により、本発明品の数態様について更に詳しく説明する。
【００２１】
実施例１〜３
下記１）〜３）をそれぞれ混合調製して実施例１〜３の消臭剤を得た。
【００２２】
0003612203.tif 000002
得られた実施例１〜３の消臭剤について、以下のようにして消臭効果を評価した。
【００２３】
密栓可能な１リツトル三角フラスコに上記各液を１０ｍｌずつ入れ、また、ブランクとした三角フラスコにはエタノール１０ｍｌを入れた後、２８％アンモニア水をエタノールで０．００４（Ｗ／Ｗ）％に希釈した液１０ｍｌをそれぞれの三角フラスコに添加し、５分間攪拌した。５分後アンモニア用ガス検知管を用いてアンモニア濃度を測定した。同様にして、硫化水素の０．１％エタノール溶液を調製し、同様の方法で硫化水素用ガス検知管を用い、硫化水素濃度を測定した。次式に従ってアンモニア及び硫化水素の消臭率を求めた。
【００２４】
消臭率（％）＝｛（Ａ−Ｂ）／Ａ｝×１００
Ａ：ブランクの臭気濃度
Ｂ：消臭剤を用いた場合の臭気濃度
以上の結果を表１に示した。
【００２５】
【表１】
0003612203.tif 000003
表１にみるように、本発明品である実施例１〜３の消臭剤のアンモニア及び硫化水素に対する消臭効果は消臭率９０％以上であり、優れた消臭剤と言える。
【００２６】
実施例４
下記配合により、液体消臭剤を調製した。
【００２７】
0003612203.tif 000004
実施例４で得られた本発明品の消臭剤を実施例１〜３と同様の方法で、トリメチルアミン及びエチルメルカプタンについてその消臭効果を測定した。トリメチルアミンについては消臭率８８％、エチルメルカプタンについては９０％で、かなり良い消臭効果が認められた。また、この消臭剤を、食残を入れた腐敗臭のするポリ容器内に噴霧してフタをし、５分後にフタを取り臭気を嗅いだが、腐敗臭はほとんど感じられないほどになっていた。
【００２８】
実施例５
下記配合により、ゲル消臭剤を調製した。
【００２９】
0003612203.tif 000005
実施例５で得られた本発明品のゲル消臭剤を６リッターのデシケーターに入れ、実施例１で用いたアンモニアアルコール希釈溶液１０ｍｌを添加して１時間密閉状態で放置した。１時間後アンモニア検知管を用いてアンモニア濃度を測定したところ、消臭率は１００％で、アンモニアに対して極めて優れた消臭剤であることがわかった。また、このゲル消臭剤をトイレに放置し、１週間観察したが、その間、アンモニア臭はほとんど感じられなかった。
【００３０】
【発明の効果】
本発明によれば、入手が容易で比較的安価且つ工業的にも有利な、アンモニア、アミン類、硫化水素及びメルカプタン類に消臭効果のある消臭剤を提供することができる。